(57)【要約】【課題】搬送される冊子の画像を容易かつ適切に読み取る。【解決手段】画像読取装置１０は、第１フィードローラ２２と第１プレッシャローラ２４と第１ジョイント部３７とローラ駆動部３９と下側読取部と上側読取部とを備えている。第１フィードローラ２２は、フレームに回転可能に支持されている。第１プレッシャローラ２４は、フレームに回転可能に、かつ、並進可能に支持され、媒体を第１フィードローラ２２に押し付ける。第１ジョイント部３７は、第１プレッシャローラ駆動軸３５から第１プレッシャローラ２４に回転を伝達する。ローラ駆動部３９は、第１フィードローラ２２と第１プレッシャローラ駆動軸３５との両方を回転させる。下側読取部と上側読取部とは、第１フィードローラ２２と第１プレッシャローラ２４との両方が回転することにより搬送される媒体の画像を読み取る。【選択図】図４
2019165356.tif 000002
【特許請求の範囲】
【請求項１】
フレームに回転可能に支持される第１ローラと、
前記フレームに回転可能に、かつ、並進可能に支持され、媒体を前記第１ローラに押し付ける第２ローラと、
駆動軸から前記第２ローラに回転を伝達するジョイント部と、
前記第１ローラと前記駆動軸との両方を回転させる駆動部と、
前記第１ローラと前記第２ローラとの両方が回転することにより搬送される搬送媒体の画像を読み取る読取部
とを備える画像読取装置。
【請求項２】
前記駆動部は、
前記第１ローラを回転させる駆動部本体と、
前記駆動部本体から前記駆動軸に回転を伝達することにより前記第２ローラを回転させる回転伝達機構とを有する
請求項１に記載の画像読取装置。
【請求項３】
前記フレームは、
前記第１ローラを回転可能に支持する第１フレームと、
前記第２ローラを回転可能に、かつ、並進可能に支持する第２フレームとを有し、
前記第２フレームは、第１位置または第２位置に配置されるように、移動可能に前記第１フレームに支持され、
前記第２ローラは、
前記第２フレームが前記第１位置に配置されるときに、前記媒体を前記第１ローラに押し付け、
前記第２フレームが前記第２位置に配置されるときに、前記媒体を前記第１ローラに押し付けないように前記第１ローラから離れる
請求項２に記載の画像読取装置。
【請求項４】
前記回転伝達機構は、
前記駆動部本体から回転が伝達される第１ギヤと、
前記駆動軸に回転が伝達される第２ギヤとを有し、
前記第２ギヤは、
前記第２フレームが前記第１位置に配置されるときに、前記駆動部本体から前記駆動軸に回転が伝達されるように、前記第１ギヤに噛み合い、
前記第２フレームが前記第２位置に配置されるときに、前記駆動部本体から前記駆動軸に回転が伝達されないように、前記第１ギヤから離れる
請求項３に記載の画像読取装置。
【請求項５】
前記回転伝達機構は、前記第２ローラの周速が前記第１ローラの周速より速くなるように形成される
請求項４に記載の画像読取装置。
【請求項６】
ホッパに載置される複数の媒体から前記媒体を分離する分離部と、
第３ローラと、
前記媒体を前記第３ローラに押し付ける第４ローラとをさらに備え、
前記駆動部は、前記第３ローラと前記第４ローラとの両方をさらに回転させ、
前記媒体のうちの前記第３ローラに接触する部分は、前記媒体のうちの前記分離部に接触する部分と、前記媒体のうちの前記第１ローラに接触する部分との間に配置され、
前記第４ローラが前記媒体を前記第３ローラに押し付ける力は、前記第２ローラが前記媒体を前記第１ローラに押し付ける力より強い
請求項１に記載の画像読取装置。
【請求項７】
第１モードと第２モードとを切り替える制御部をさらに備え、
前記制御部は、
前記第１モードに切り替えられたときに、前記媒体が前記第１ローラから前記第３ローラに向かって搬送されるように、前記駆動部を制御し、
前記第２モードに切り替えられたときに、前記媒体が前記第３ローラから前記第１ローラに向かって搬送されるように、前記駆動部を制御する
請求項６に記載の画像読取装置。
【発明の詳細な説明】
【技術分野】
【０００１】
本開示の技術は、画像読取装置に関する。
【背景技術】
【０００２】
媒体を搬送し、その搬送される媒体の画像を読み取る画像読取装置が知られている。このような画像読取装置は、フィードローラとプレッシャローラとを備え、媒体がプレッシャローラによりフィードローラに押し付けられているときにフィードローラが回転することにより、媒体を搬送する。
【０００３】
特開昭５９−１９４９５６号公報には、簡単な機構で単票から厚みのある用紙まで、確実に精度よく送ることの可能な用紙類送り機構が記載されている。特開２００６−３１２３２３号公報には、部品数の増加による装置の大型化とならずに、媒体のセットし易くかつ搬送ジャムの発生しないプリンタが記載されている。
【先行技術文献】
【特許文献】
【０００４】
【特許文献１】特開昭５９−１９４９５６号公報
【特許文献２】特開２００６−３１２３２３号公報
【発明の概要】
【発明が解決しようとする課題】
【０００５】
複数の一枚媒体が綴じられることにより形成される冊子は、一枚媒体より厚いことによりローラニップへの侵入性が悪く、搬送に不具合が発生することがある。画像読取装置は、搬送に不具合が発生することにより、媒体の画像を読み取るときに、画像伸びに例示される不具合が発生することがある。また、冊子が搬送されるときに、従動ローラが適切に回転しないことにより、めくれが発生することがある。画像読取装置は、めくれが発生することにより、画像を適切に読み取ることができないことがある。画像読取装置は、冊子がキャリアシートに挟まれた状態で搬送されることにより、めくれの発生を防止することができ、冊子の画像を適切に読み取ることができる。しかしながら、冊子をキャリアシートに挟む下準備が必要であり、操作性が悪いという問題がある。
【０００６】
開示の技術は、かかる点に鑑みてなされたものであって、搬送される冊子の画像を容易かつ適切に読み取る画像読取装置を提供することを目的とする。
【課題を解決するための手段】
【０００７】
開示の態様では、画像読取装置は、第１ローラと第２ローラとジョイント部と駆動部と読取部とを備えている。前記第１ローラは、フレームに回転可能に支持されている。前記第２ローラは、前記フレームに回転可能に、かつ、並進可能に支持され、媒体を前記第１ローラに押し付ける。前記ジョイント部は、駆動軸から前記第２ローラに回転を伝達する。前記駆動部は、前記第１ローラと前記駆動軸との両方を回転させる。前記読取部は、前記第１ローラと前記第２ローラとの両方が回転することにより搬送される搬送媒体の画像を読み取る。
【発明の効果】
【０００８】
開示の画像読取装置は、搬送される冊子の画像を容易かつ適切に読み取ることができる。
【図面の簡単な説明】
【０００９】
【図１】図１は、実施例１の画像読取装置を示す側面断面図である。
【図２】図２は、可動側フレームが開放位置に配置されたときの画像読取装置を示す側面断面図である。
【図３】図３は、搬送路切替用フラップがスイッチバック搬送位置に配置されたときの画像読取装置を示す側面断面図である。
【図４】図４は、搬送部を示す斜視図である。
【図５】図５は、媒体読取用搬送路に薄手媒体が配置されたときの搬送部を示す正面図である。
【図６】図６は、媒体読取用搬送路に厚手媒体が配置されたときの搬送部を示す正面図である。
【図７】図７は、画像読取装置を示すブロック図である。
【図８】図８は、画像読取装置の動作を示すフローチャートである。
【図９】図９は、厚手媒体が非分離口から合流点に向かって搬送されるときの画像読取装置を示す側面断面図である。
【図１０】図１０は、厚手媒体の後端が媒体検出位置を通過したときの画像読取装置を示す側面断面図である。
【図１１】図１１は、厚手媒体が合流点から非分離口に向かって搬送されるときの画像読取装置を示す側面断面図である。
【図１２】図１２は、実施例２の画像読取装置の第１フィードローラと第１プレッシャローラとを示す側面図である。
【発明を実施するための形態】
【００１０】
以下に、本願が開示する実施形態にかかる画像読取装置について、図面を参照して説明する。なお、以下の記載により本開示の技術が限定されるものではない。また、以下の記載においては、同一の構成要素に同一の符号を付与し、重複する説明を省略する。
【実施例１】
【００１１】
図１は、実施例１の画像読取装置を示す側面断面図である。画像読取装置１０は、図１に示されているように、フレーム１を備えている。フレーム１は、固定側フレーム２と可動側フレーム３とを備えている。固定側フレーム２は、画像読取装置１０が設置される設置面５に載置され、設置面５に固定される。可動側フレーム３は、固定側フレーム２の上部に配置されている。可動側フレーム３は、閉鎖位置または開放位置に配置されるように、回転軸６を中心に回転可能に固定側フレーム２に支持されている。回転軸６は、設置面５が沿う平面に平行である。
【００１２】
画像読取装置１０は、分離口７と非分離口８と背面側口１１と合流点１２とが形成されている。分離口７は、画像読取装置１０の後側に形成され、固定側フレーム２と可動側フレーム３との間に形成されている。非分離口８は、画像読取装置１０のうちの分離口７が形成される後側の反対側の前側に形成され、固定側フレーム２と可動側フレーム３との間に形成されている。非分離口８は、分離口７が形成される位置より設置面５に近い下側の位置に形成されている。背面側口１１は、画像読取装置１０の後側のうちの分離口７より設置面５に近い側に形成され、設置面５から背面側口１１までの距離が設置面５から非分離口８までの距離と等しくなるように、形成されている。合流点１２は、非分離口８と背面側口１１との間に形成され、固定側フレーム２と可動側フレーム３との間に形成されている。合流点１２は、設置面５から合流点１２までの距離が設置面５から非分離口８または背面側口１１までの距離と等しくなるように、形成されている。
【００１３】
画像読取装置１０は、ホッパ１４をさらに備えている。ホッパ１４は、載置面１５が形成されている。ホッパ１４は、載置面１５が斜め上方を向き、載置面１５に沿う平面と設置面５に沿う平面とがなす角が５５度に概ね等しくなるように、配置されている。ホッパ１４は、さらに、載置面１５に載置される媒体が重力により分離口７に向かって移動するように、分離口７の近傍に配置され、固定側フレーム２に固定されている。
【００１４】
画像読取装置１０は、媒体分離用搬送路１６と媒体読取用搬送路１７と媒体引込用搬送路１８とがさらに形成されている。媒体分離用搬送路１６は、固定側フレーム２と可動側フレーム３との間に形成されている。媒体分離用搬送路１６は、分離口７と合流点１２とを接続し、合流点１２に近い側の端が分離口７に近い側の端より下側に配置されるように、設置面５が沿う平面に対して傾斜している。媒体読取用搬送路１７は、設置面５が沿う平面に平行である他の平面に沿うように形成され、固定側フレーム２と可動側フレーム３との間に形成され、非分離口８と合流点１２とを接続している。媒体引込用搬送路１８は、媒体読取用搬送路１７が沿う平面に沿うように形成され、固定側フレーム２の内部に形成され、背面側口１１と合流点１２とを接続している。
【００１５】
画像読取装置１０は、搬送部２０をさらに備えている。搬送部２０は、分離部２１と第１フィードローラ２２と第２フィードローラ２３と第１プレッシャローラ２４と第２プレッシャローラ２５とを備えている。分離部２１は、媒体分離用搬送路１６の途中に形成されている。分離部２１は、分離口７から媒体分離用搬送路１６に挿入される複数の媒体からホッパ１４の載置面１５に接触する１つの媒体を分離し、媒体分離用搬送路１６を介して、その分離された１つの媒体を分離口７から合流点１２に向けて搬送する。
【００１６】
第１フィードローラ２２は、円柱状に形成されている。第１フィードローラ２２は、媒体読取用搬送路１７の下側に配置され、回転可能に固定側フレーム２に支持されている。第１フィードローラ２２は、正回転（図１で反時計回り）することにより、媒体読取用搬送路１７に配置される媒体を合流点１２から非分離口８に向けて搬送する。第２フィードローラ２３は、媒体読取用搬送路１７の下側のうちの第１フィードローラ２２と非分離口８との間に配置され、回転可能に固定側フレーム２に支持されている。第２フィードローラ２３は、正回転（図１で反時計回り）することにより、媒体読取用搬送路１７に配置される媒体を合流点１２から非分離口８に向けて搬送する。
【００１７】
第１プレッシャローラ２４は、円柱状に形成され、第１プレッシャローラ２４の径が第１フィードローラ２２の径に等しくなるように、形成されている。第１プレッシャローラ２４は、媒体読取用搬送路１７の上側に配置され、第１フィードローラ２２の上側に配置されている。第１プレッシャローラ２４は、設置面５に沿う平面に垂直である上下方向に並進可能に、かつ、回転可能に可動側フレーム３に支持されている。第１プレッシャローラ２４は、媒体読取用搬送路１７に配置される媒体を第１フィードローラ２２に押し付け、正回転（図１で時計回り）することにより、媒体読取用搬送路１７に配置される媒体を合流点１２から非分離口８に向けて搬送する。
【００１８】
第２フィードローラ２３は、円柱状に形成され、第２フィードローラ２３の径が第１フィードローラ２２の径に等しくなるように、形成されている。第２フィードローラ２３は、媒体読取用搬送路１７の下側のうちの第１フィードローラ２２と非分離口８との間に配置され、回転可能に固定側フレーム２に支持されている。第２フィードローラ２３は、正回転（図１で反時計回り）することにより、媒体読取用搬送路１７に配置される媒体を合流点１２から非分離口８に向けて搬送する。
【００１９】
第２プレッシャローラ２５は、円柱状に形成され、第２プレッシャローラ２５の径が第２フィードローラ２３の径に等しくなるように、形成されている。第２プレッシャローラ２５は、媒体読取用搬送路１７の上側に配置され、第２フィードローラ２３の上側に配置されている。第２プレッシャローラ２５は、上下方向に並進可能に、かつ、回転可能に可動側フレーム３に支持されている。第２プレッシャローラ２５は、媒体読取用搬送路１７に配置される媒体を第２フィードローラ２３に押し付け、正回転（図１で時計回り）することにより、媒体読取用搬送路１７に配置される媒体を合流点１２から非分離口８に向けて搬送する。
【００２０】
画像読取装置１０は、下側読取部２６と上側読取部２７とをさらに備えている。下側読取部２６は、媒体読取用搬送路１７の下側に配置され、第１フィードローラ２２と第２フィードローラ２３との間に配置されている。下側読取部２６は、媒体読取用搬送路１７を搬送される媒体の下側の面の画像を読み取る。上側読取部２７は、媒体読取用搬送路１７の上側のうちの下側読取部２６の上側に配置され、第１プレッシャローラ２４と第２プレッシャローラ２５との間に配置されている。上側読取部２７は、媒体読取用搬送路１７を搬送される媒体の上側の面の画像を読み取る。
【００２１】
画像読取装置１０は、媒体位置検出センサ２８をさらに備えている。媒体位置検出センサ２８は、媒体読取用搬送路１７の下側に配置され、第１フィードローラ２２と下側読取部２６との間に配置されている。媒体位置検出センサ２８は、媒体読取用搬送路１７のうちの第１フィードローラ２２と下側読取部２６との間の媒体検出位置に媒体が配置されているか否かを検出し、媒体の端が媒体検出位置を通過するタイミングを検出する。
【００２２】
画像読取装置１０は、搬送路切替用フラップ２９をさらに備えている。搬送路切替用フラップ２９は、合流点１２に配置され、分離搬送位置とスイッチバック搬送位置とに配置されるように、回転可能に固定側フレーム２に支持されている。搬送路切替用フラップ２９は、第１フィードローラ２２が正回転することにより、分離搬送位置に移動し、第１フィードローラ２２が逆回転することにより、スイッチバック搬送位置に移動する。搬送路切替用フラップ２９は、分離搬送位置に配置されているときに、媒体引込用搬送路１８を合流点１２から遮断し、媒体分離用搬送路１６を分離口７から合流点１２に搬送される媒体を媒体読取用搬送路１７に案内する。
【００２３】
図２は、可動側フレーム３が開放位置に配置されたときの画像読取装置１０を示す側面断面図である。第１プレッシャローラ２４は、可動側フレーム３が開放位置に配置されたときに、図２に示されているように、第１フィードローラ２２から離れている。第２プレッシャローラ２５は、可動側フレーム３が開放位置に配置されたときに、第２フィードローラ２３から離れている。
【００２４】
図３は、搬送路切替用フラップ２９がスイッチバック搬送位置に配置されたときの画像読取装置１０を示す側面断面図である。搬送路切替用フラップ２９は、スイッチバック搬送位置に配置されているときに、図３に示されているように、合流点１２を媒体引込用搬送路１８に接続し、媒体読取用搬送路１７を非分離口８から合流点１２に搬送される媒体を媒体引込用搬送路１８に案内する。
【００２５】
図４は、搬送部２０を示す斜視図である。搬送部２０は、図４に示されているように、第１軸受３１と第１付圧ばね３２と第２軸受３３と第２付圧ばね３４とをさらに備えている。第１軸受３１は、上下方向に並進可能に可動側フレーム３に支持されている。第１プレッシャローラ２４は、第１軸受３１に回転可能に支持されている。すなわち、第１プレッシャローラ２４は、第１軸受３１を介して、上下方向に並進可能に、かつ、回転可能に可動側フレーム３に支持されている。第１付圧ばね３２は、可動側フレーム３が閉鎖位置に配置されているときに、第１プレッシャローラ２４が第１フィードローラ２２に接近するように、弾性力を第１軸受３１に与える。
【００２６】
第２軸受３３は、上下方向に並進可能に可動側フレーム３に支持されている。第２プレッシャローラ２５は、第２軸受３３に回転可能に支持されている。このため、第２プレッシャローラ２５は、上下方向に並進可能に、かつ、回転可能に可動側フレーム３に支持されている。第２付圧ばね３４は、可動側フレーム３が閉鎖位置に配置されているときに、第２プレッシャローラ２５が第２フィードローラ２３に接近するように、弾性力を第２軸受３３に与える。第２付圧ばね３４が第２軸受３３に与える弾性力は、第１付圧ばね３２が第１軸受３１に与える弾性力より小さい。
【００２７】
搬送部２０は、第１プレッシャローラ駆動軸３５と第２プレッシャローラ駆動軸３６と第１ジョイント部３７と第２ジョイント部３８とローラ駆動部３９とをさらに備えている。第１プレッシャローラ駆動軸３５は、回転可能に可動側フレーム３に支持されている。第２プレッシャローラ駆動軸３６は、回転可能に可動側フレーム３に支持されている。第１ジョイント部３７は、ユニバーサルジョイントから形成され、第１プレッシャローラ２４の回転軸が第１プレッシャローラ駆動軸３５の回転軸と重なっていない場合でも、第１プレッシャローラ駆動軸３５の回転を第１プレッシャローラ２４に伝達する。第２ジョイント部３８は、ユニバーサルジョイントから形成され、第２プレッシャローラ２５の回転軸が第２プレッシャローラ駆動軸３６の回転軸と重なっていない場合でも、第２プレッシャローラ駆動軸３６の回転を第２プレッシャローラ２５に伝達する。
【００２８】
ローラ駆動部３９は、駆動部本体４１と回転伝達機構４２とを備えている。駆動部本体４１は、フィードローラ軸４３とモータ４５とを備えている。フィードローラ軸４３は、棒状に形成され、回転可能に固定側フレーム２に支持されている。モータ４５は、固定側フレーム２に支持され、フィードローラ軸４３を正回転させたり逆回転させたりする。第１フィードローラ２２は、フィードローラ軸４３に固定されることにより、回転可能に固定側フレーム２に支持されている。このため、第１フィードローラ２２は、フィードローラ軸４３が正回転するときに、正回転し、フィードローラ軸４３が逆回転するときに、逆回転する。
【００２９】
回転伝達機構４２は、第１フィードギヤ５１とアイドラギヤ５２と第２フィードギヤ５３と第１可動側ギヤ５４と第２可動側ギヤ５５とを備えている。第１フィードギヤ５１は、円板状に形成され、外周に複数の歯が形成され、フィードローラ軸４３に固定されている。アイドラギヤ５２は、円板状に形成され、外周に複数の歯が形成され、回転可能に固定側フレーム２に支持されている。アイドラギヤ５２の複数の歯は、第１フィードギヤ５１の複数の歯に噛み合っている。このため、アイドラギヤ５２は、フィードローラ軸４３が回転することにより回転する。
【００３０】
第２フィードギヤ５３は、円板状に形成され、外周に複数の歯が形成され、第２フィードローラ２３に固定されている。第２フィードギヤ５３の複数の歯は、アイドラギヤ５２の複数の歯に噛み合っている。このため、第２フィードギヤ５３は、アイドラギヤ５２が回転することにより回転し、フィードローラ軸４３が回転することにより回転する。すなわち、第２フィードローラ２３は、回転伝達機構４２により、フィードローラ軸４３が正回転するときに正回転し、フィードローラ軸４３が逆回転するときに逆回転する。
【００３１】
第１可動側ギヤ５４は、円板状に形成され、外周に複数の歯が形成され、第１プレッシャローラ駆動軸３５に固定されている。第１可動側ギヤ５４は、可動側フレーム３が閉鎖位置に配置されているときに、第１可動側ギヤ５４の複数の歯が第１フィードギヤ５１の複数の歯に噛み合うように、第１フィードギヤ５１に接触している。このため、第１可動側ギヤ５４は、可動側フレーム３が閉鎖位置に配置されているときに、フィードローラ軸４３が回転することにより回転する。すなわち、第１プレッシャローラ駆動軸３５は、可動側フレーム３が閉鎖位置に配置されているときに、回転伝達機構４２により、フィードローラ軸４３が正回転するときに正回転し、フィードローラ軸４３が逆回転するときに逆回転する。第１可動側ギヤ５４は、可動側フレーム３が開放位置に配置されているときに、第１可動側ギヤ５４の複数の歯が第１フィードギヤ５１の複数の歯に噛み合わないように、第１フィードギヤ５１から離れている。
【００３２】
第２可動側ギヤ５５は、円板状に形成され、外周に複数の歯が形成され、第２プレッシャローラ駆動軸３６に固定されている。第２可動側ギヤ５５は、可動側フレーム３が閉鎖位置に配置されているときに、第２可動側ギヤ５５の複数の歯が第２フィードギヤ５３の複数の歯に噛み合うように、第２フィードギヤ５３に接触している。このため、第２可動側ギヤ５５は、可動側フレーム３が閉鎖位置に配置されているときに、フィードローラ軸４３が回転することにより回転する。すなわち、第２プレッシャローラ駆動軸３６は、可動側フレーム３が閉鎖位置に配置されているときに、回転伝達機構４２により、フィードローラ軸４３が正回転するときに正回転し、フィードローラ軸４３が逆回転するときに逆回転する。第２可動側ギヤ５５は、可動側フレーム３が開放位置に配置されているときに、第２可動側ギヤ５５の複数の歯が第２フィードギヤ５３の複数の歯に噛み合わないように、第２フィードギヤ５３から離れている。
【００３３】
回転伝達機構４２は、さらに、第２フィードローラ２３の回転数が第１フィードローラ２２の回転数に等しくなるように、フィードローラ軸４３の回転を第２フィードローラ２３に伝達している。回転伝達機構４２は、さらに、第１プレッシャローラ２４の回転数が第１フィードローラ２２の回転数に等しくなるように、フィードローラ軸４３の回転を第１プレッシャローラ駆動軸３５に伝達している。回転伝達機構４２は、さらに、第２プレッシャローラ２５の回転数が第２フィードローラ２３の回転数に等しくなるように、第２フィードローラ２３の回転を第２プレッシャローラ駆動軸３６に伝達している。このため、第２フィードローラ２３の周速と第１フィードローラ２２の周速と第１プレッシャローラ２４の周速と第２プレッシャローラ２５の周速とは、互いに等しい。ここで、周速は、単位時間当たりのローラの回転数にローラの径を乗算した値を示している。
【００３４】
図５は、媒体読取用搬送路１７に薄手媒体５８が配置されたときの搬送部２０を示す正面図である。第１プレッシャローラ２４の回転軸は、薄手媒体５８が媒体読取用搬送路１７に配置されたときに、図５に示されているように、第１プレッシャローラ駆動軸３５の回転軸より第１フィードローラ２２に近い側に配置されることがある。薄手媒体５８としては、１枚の用紙から形成される一枚媒体が例示される。第１プレッシャローラ２４は、薄手媒体５８が媒体読取用搬送路１７に配置された場合でも、上下方向に並進可能であることにより、第１フィードローラ２２に薄手媒体５８を適切に押し付けることができる。また、第１プレッシャローラ２４は、薄手媒体５８が媒体読取用搬送路１７に配置された場合でも、第１ジョイント部３７を介して回転が第１プレッシャローラ駆動軸３５から伝達されることにより、適切に回転することができる。すなわち、第１フィードローラ２２と第１プレッシャローラ２４とは、薄手媒体５８が媒体読取用搬送路１７に配置された場合でも、媒体読取用搬送路１７で薄手媒体５８を適切に搬送することができる。
【００３５】
図６は、媒体読取用搬送路１７に厚手媒体５９が配置されたときの搬送部２０を示す正面図である。第１プレッシャローラ２４の回転軸は、厚手媒体５９が媒体読取用搬送路１７に配置されたときに、図６に示されているように、第１プレッシャローラ駆動軸３５の回転軸より第１フィードローラ２２から遠い側に配置されることがある。厚手媒体５９としては、複数の一枚媒体が綴じられることにより形成される冊子が例示される。第１プレッシャローラ２４は、厚手媒体５９が媒体読取用搬送路１７に配置された場合でも、上下方向に並進可能であることにより、第１フィードローラ２２に厚手媒体５９を適切に押し付けることができる。また、第１プレッシャローラ２４は、厚手媒体５９が媒体読取用搬送路１７に配置された場合でも、第１ジョイント部３７を介して回転が第１プレッシャローラ駆動軸３５から伝達されることにより、適切に回転することができる。すなわち、第１フィードローラ２２と第１プレッシャローラ２４とは、厚手媒体５９が媒体読取用搬送路１７に配置された場合でも、媒体読取用搬送路１７で厚手媒体５９を適切に搬送することができる。
【００３６】
第２プレッシャローラ２５の回転軸も、第１プレッシャローラ２４と同様に、第２プレッシャローラ駆動軸３６の回転軸と重ならないように、配置されることがある。第２プレッシャローラ２５は、回転軸が第２プレッシャローラ駆動軸３６の回転軸と重ならない場合でも、第２ジョイント部３８が設けられていることにより、第１プレッシャローラ２４と同様に、フィードローラ軸４３の回転が適切に伝達されることができる。
【００３７】
画像読取装置１０は、フィードローラ軸４３の回転を分離部２１に伝達する分離用回転伝達機構（図示されていない）をさらに備えている。このため、分離部２１は、フィードローラ軸４３が正回転するときに、分離口７から媒体分離用搬送路１６に挿入される複数の媒体から載置面１５に接触する１つの媒体を分離する。分離部２１は、フィードローラ軸４３が正回転するときに、さらに、媒体分離用搬送路１６を介して、その分離された１つの媒体を分離口７から合流点１２に向けて搬送する。このとき、分離用回転伝達機構は、分離部２１により搬送される媒体の速さが、第１フィードローラ２２と第１プレッシャローラ２４とにより搬送される媒体の速さに等しくなるように、形成されている。
【００３８】
分離部２１は、さらに、複数の媒体のうちのその分離される１つの媒体と異なる残りの媒体が１つの媒体とともに分離部２１より合流点１２に近い側に搬送されないように、合流点１２に近い側に搬送する力に対抗する抵抗力を残りの媒体に与えている。分離部２１により媒体が媒体分離用搬送路１６を搬送される速さは、残りの媒体に抵抗力が与えられていることにより、第１フィードローラ２２と第１プレッシャローラ２４とが媒体を搬送する速さより遅くなることがある。
【００３９】
図７は、画像読取装置１０を示すブロック図である。画像読取装置１０は、図７に示されているように、エンプティセンサ６１と制御部６２とをさらに備えている。エンプティセンサ６１は、ホッパ１４に媒体が載置されているか否かを検出する。
【００４０】
制御部６２は、コンピュータであり、ＣＰＵ（Ｃｅｎｔｒａｌ  Ｐｒｏｃｅｓｓｉｎｇ  Ｕｎｉｔ）６３と記憶装置６４と入出力装置６５とを備えている。ＣＰＵ６３は、制御部６２にインストールされるコンピュータプログラムを実行することにより、情報処理し、記憶装置６４と入出力装置６５とを制御する。記憶装置６４は、そのコンピュータプログラムを記録し、ＣＰＵ６３により利用される情報を記録する。記憶装置６４は、例えばＲＡＭ・ＲＯＭ等のメモリ、ハードディスクのような固定ディスク装置、ＳＳＤ（Ｓｏｌｉｄ  Ｓｔａｔｅ  Ｄｒｉｖｅ）、および／または、光ディスク等を用いることができる。入出力装置６５は、スキャンボタンを備え、ユーザに操作されることにより生成される情報をＣＰＵ６３に出力し、ＣＰＵ６３により生成された情報をユーザに認識されることができるように出力する。たとえば、入出力装置６５は、スキャンボタンを備え、スキャンボタンが押下されたか否かを検出し、検出結果をＣＰＵ６３に出力する。
【００４１】
制御部６２は、そのコンピュータプログラムを実行することにより、さらに、モータ４５とエンプティセンサ６１と媒体位置検出センサ２８と下側読取部２６と上側読取部２７とを制御する。すなわち、制御部６２は、ホッパ１４に媒体が載置されているか否かが検出されるように、エンプティセンサ６１を制御する。制御部６２は、さらに、画像読取装置１０への操作に基づいて正回転モードと逆回転モードとを切り替える。制御部６２は、正回転モードに切り替えられたときにフィードローラ軸４３が正回転するように、かつ、逆回転モードに切り替えられたときにフィードローラ軸４３が逆回転するように、モータ４５を制御する。制御部６２は、媒体読取用搬送路１７のうちの媒体検出位置に媒体が配置されているか否かが検出されるように、また、媒体の端が媒体検出位置を通過するタイミングが検出されるように、媒体位置検出センサ２８を制御する。制御部６２は、媒体読取用搬送路１７を搬送される媒体の両面の画像が読み取られるように、下側読取部２６と上側読取部２７とを制御する。
【００４２】
［画像読取装置１０の動作］
図８は、画像読取装置１０の動作を示すフローチャートである。ユーザは、画像読取装置１０を用いて複数の薄手媒体の画像を読み取りたいときに、ホッパ１４に複数の薄手媒体を載置した後に、スキャンボタンを押下する。複数の薄手媒体の各々は、たとえば、一枚媒体から形成され、複数の薄手媒体は、綴じられておらず、互いに分離されることができる。複数の薄手媒体は、ホッパ１４に載置されたときに、重力により分離口７に挿入され、分離部２１に接触する。ユーザは、画像読取装置１０を用いて厚手媒体の画像を読み取りたいときに、スキャンボタンを押下し、厚手媒体が第２フィードローラ２３と第２プレッシャローラ２５との間に挟まれるように、厚手媒体を非分離口８に挿入する。厚手媒体としては、複数の一枚媒体が綴じられることにより形成される冊子が例示される。
【００４３】
制御部６２は、画像読取装置１０が起動しているときに、入出力装置６５を制御することにより、スキャンボタンが押下されたか否かを検出する。制御部６２は、スキャンボタンが押下されたことが検出されると、エンプティセンサ６１を制御することにより、ホッパ１４に媒体が載置されているか否かを検出する（ステップＳ１）。制御部６２は、ホッパ１４に媒体が載置されていることが検出されたときに（ステップＳ１、Ｙｅｓ）、正回転モードに切り替え、モータ４５を制御することにより、フィードローラ軸４３を正回転させる（ステップＳ２）。
【００４４】
分離部２１は、フィードローラ軸４３が正回転することにより、ホッパ１４に載置されている複数の薄手媒体のうちの載置面１５に接触している１つの薄手媒体を複数の薄手媒体から分離する。分離部２１は、フィードローラ軸４３が正回転することにより、さらに、媒体分離用搬送路１６を介して、その分離された１つの薄手媒体を分離口７から合流点１２に向けて搬送する。搬送路切替用フラップ２９は、フィードローラ軸４３が正回転することにより、分離搬送位置に配置され、媒体分離用搬送路１６を分離口７から合流点１２に向かって搬送される１つの薄手媒体を媒体読取用搬送路１７に案内する。このため、分離部２１により分離口７から合流点１２に向かって搬送された１つの薄手媒体は、媒体読取用搬送路１７に搬送され、第１フィードローラ２２と第１プレッシャローラ２４との間に挟まれる。
【００４５】
第１プレッシャローラ２４は、１つの薄手媒体が第１フィードローラ２２と第１プレッシャローラ２４との間に挟まれたときに、その挟まれた１つの薄手媒体を第１フィードローラ２２に押し付ける。フィードローラ軸４３が正回転することにより、第１フィードローラ２２は、正回転し、第１プレッシャローラ２４は、正回転する。第１フィードローラ２２と第１プレッシャローラ２４とは、正回転することにより、第１プレッシャローラ２４により第１フィードローラ２２に押し付けられた１つの薄手媒体を、媒体読取用搬送路１７を介して、非分離口８に向けて搬送する。
【００４６】
第１フィードローラ２２と第１プレッシャローラ２４とにより媒体読取用搬送路１７を非分離口８に向かって搬送される１つの薄手媒体は、媒体検出位置を通過した後に、下側読取部２６と上側読取部２７との間を搬送される。制御部６２は、フィードローラ軸４３が正回転しているときに、媒体位置検出センサ２８を制御することにより、１つの薄手媒体の先端が媒体検出位置を通過する先端通過タイミングを検出し、１つの薄手媒体の後端が媒体検出位置を通過する後端通過タイミングを検出する。制御部６２は、その検出された先端通過タイミングと後端通過タイミングとに基づいて算出される読取期間に、下側読取部２６と上側読取部２７とを制御することにより、１つの薄手媒体の両面の画像を読み取る（ステップＳ３）。第１フィードローラ２２と第１プレッシャローラ２４とにより非分離口８に向かって搬送される１つの薄手媒体は、下側読取部２６と上側読取部２７との間を通過した後に、第２フィードローラ２３と第２プレッシャローラ２５との間に挟まれる。
【００４７】
第２プレッシャローラ２５は、１つの薄手媒体が第２フィードローラ２３と第２プレッシャローラ２５との間に挟まれたときに、その挟まれた１つの薄手媒体を第２フィードローラ２３に押し付ける。フィードローラ軸４３が正回転していることにより、第２フィードローラ２３は、正回転し、第２プレッシャローラ２５は、正回転している。第２フィードローラ２３と第２プレッシャローラ２５とは、正回転することにより、第２フィードローラ２３と第２プレッシャローラ２５とに挟まれた１つの薄手媒体を、媒体読取用搬送路１７を介して非分離口８に向かって搬送し、非分離口８から排出する。
【００４８】
制御部６２は、ホッパ１４に媒体が載置されていることが検出されているときに（ステップＳ４、Ｙｅｓ）、複数の薄手媒体の個数と等しい回数だけステップＳ３の処理を繰り返し実行し、ホッパ１４に載置されている複数の薄手媒体の全部の両面の画像を読み取る。制御部６２は、ホッパ１４に媒体が載置されていないことが検出されたときに（ステップＳ４、Ｎｏ）、複数の薄手媒体の全部が非分離口８を介して排出された後に、モータ４５を制御することにより、フィードローラ軸４３の回転を停止させる（ステップＳ５）。
【００４９】
制御部６２は、スキャンボタンが押下された直後にホッパ１４に媒体が載置されていないことが検出されたときに（ステップＳ１、Ｎｏ）、逆回転モードに切り替え、モータ４５を制御することにより、フィードローラ軸４３を逆回転させる（ステップＳ６）。フィードローラ軸４３が逆回転することにより、第２フィードローラ２３は、逆回転し、第２プレッシャローラ２５は、逆回転する。
【００５０】
第２プレッシャローラ２５は、厚手媒体が第２フィードローラ２３と第２プレッシャローラ２５との間に挟まれているときに、その挟まれた厚手媒体を第２フィードローラ２３に押し付ける。第２フィードローラ２３と第２プレッシャローラ２５とは、逆回転することにより、第２プレッシャローラ２５により第２フィードローラ２３に押し付けられた厚手媒体を、媒体読取用搬送路１７を介して合流点１２に向けて搬送する。
【００５１】
制御部６２は、フィードローラ軸４３が逆回転しているときに、媒体位置検出センサ２８を制御することにより、フィードローラ軸４３が逆回転を開始したタイミングから所定の期間の間に、媒体検出位置を厚手媒体が通過したか否かを検出する（ステップＳ７）。制御部６２は、所定の期間に厚手媒体が媒体検出位置を通過することが検出されないときに（ステップＳ７、Ｎｏ）、モータ４５を制御することにより、フィードローラ軸４３の回転を停止させる（ステップＳ８）。ステップＳ７〜ステップＳ８の処理によれば、画像読取装置１０は、媒体読取用搬送路１７を厚手媒体が適切に搬送されないときに、フィードローラ軸４３が逆回転し続けることを防止することができる。
【００５２】
制御部６２は、所定の期間に厚手媒体が媒体検出位置を通過したことが検出されたときに（ステップＳ７、Ｙｅｓ）、厚手媒体が媒体検出位置で検出されなくなるまでフィードローラ軸４３の逆回転を継続させる（ステップＳ９）。第２フィードローラ２３と第２プレッシャローラ２５とにより媒体読取用搬送路１７を合流点１２に向かって搬送される厚手媒体は、媒体検出位置を通過した後に、第１フィードローラ２２と第１プレッシャローラ２４との間に挟まれる。第１プレッシャローラ２４は、厚手媒体が第１フィードローラ２２と第１プレッシャローラ２４との間に挟まれたときに、その挟まれた厚手媒体を第１フィードローラ２２に押し付ける。フィードローラ軸４３が逆回転することにより、第１フィードローラ２２は、逆回転し、第１プレッシャローラ２４は、逆回転している。第１フィードローラ２２と第１プレッシャローラ２４とは、逆回転することにより、第１プレッシャローラ２４により第１フィードローラ２２に押し付けられた厚手媒体を、媒体読取用搬送路１７を介して、合流点１２に向けて搬送する。
【００５３】
搬送路切替用フラップ２９は、フィードローラ軸４３が逆回転することにより、スイッチバック搬送位置に配置され、媒体読取用搬送路１７を非分離口８から合流点１２に向かって搬送される厚手媒体を媒体引込用搬送路１８に案内する。図９は、厚手媒体６７が非分離口８から合流点１２に向かって搬送されるときの画像読取装置１０を示す側面断面図である。非分離口８から合流点１２に向かって搬送された厚手媒体６７は、図９に示されているように、搬送路切替用フラップ２９がスイッチバック搬送位置に配置されていることにより、媒体引込用搬送路１８に案内される。厚手媒体６７は、第１フィードローラ２２と第１プレッシャローラ２４とにより合流点１２に向かって搬送されることにより、媒体引込用搬送路１８に搬送され、後端６８が第２フィードローラ２３と第２プレッシャローラ２５とから離れる。
【００５４】
厚手媒体６７は、図１０に示されているように、第１フィードローラ２２と第１プレッシャローラ２４とにより合流点１２に向かってさらに搬送されることにより、後端６８が媒体検出位置を通過する。図１０は、厚手媒体６７の後端６８が媒体検出位置を通過したときの画像読取装置１０を示す側面断面図である。制御部６２は、媒体位置検出センサ２８を制御することにより、厚手媒体６７のうちの後端６８が媒体検出位置を通過した後端通過タイミングを検出する。制御部６２は、モータ４５を制御することにより、検出された後端通過タイミングの直後に、フィードローラ軸４３の回転を停止させる。厚手媒体６７は、後端通過タイミングの直後にフィードローラ軸４３の回転が停止することにより、厚手媒体６７が第１フィードローラ２２と第１プレッシャローラ２４とに挟まれた状態で、停止する。
【００５５】
制御部６２は、フィードローラ軸４３の回転が停止した後に、正回転モードに切り替え、モータ４５を制御することにより、フィードローラ軸４３を正回転させる（ステップＳ１０）。第１フィードローラ２２と第１プレッシャローラ２４とは、正回転することにより、第１プレッシャローラ２４により第１フィードローラ２２に押し付けられた厚手媒体６７を、媒体読取用搬送路１７を介して、非分離口８に向けて搬送する。図１１は、厚手媒体６７が合流点１２から非分離口８に向かって搬送されるときの画像読取装置１０を示す側面断面図である。厚手媒体６７は、媒体読取用搬送路１７を非分離口８に向かって搬送されることにより、媒体検出位置を通過した後に、下側読取部２６と上側読取部２７との間を搬送される。制御部６２は、フィードローラ軸４３が正回転しているときに、さらに、媒体位置検出センサ２８を制御することにより、厚手媒体６７の両端が媒体検出位置をそれぞれ通過する先端通過タイミングと後端通過タイミングとを検出する。制御部６２は、その検出された先端通過タイミングと後端通過タイミングとに基づいて算出される読取期間に、下側読取部２６と上側読取部２７とを制御することにより、厚手媒体６７の両面の画像を読み取る（ステップＳ１１）。厚手媒体６７は、第１フィードローラ２２と第１プレッシャローラ２４とにより非分離口８に向かって搬送されることにより、下側読取部２６と上側読取部２７との間を通過した後に、第２フィードローラ２３と第２プレッシャローラ２５との間に挟まれる。
【００５６】
第２プレッシャローラ２５は、厚手媒体６７が第２フィードローラ２３と第２プレッシャローラ２５との間に挟まれたときに、厚手媒体６７を第２フィードローラ２３に押し付ける。フィードローラ軸４３が正回転していることにより、第２フィードローラ２３は、正回転し、第２プレッシャローラ２５は、正回転している。第２フィードローラ２３と第２プレッシャローラ２５とは、正回転することにより、厚手媒体６７を、媒体読取用搬送路１７を介して非分離口８に向かって搬送し、非分離口８から排出する。制御部６２は、厚手媒体６７が非分離口８を介して排出された後に、モータ４５を制御することにより、フィードローラ軸４３の回転を停止させる（ステップＳ５）。
【００５７】
このような動作によれば、厚手媒体６７は、分離部２１を通過しないことにより、めくれに例示される不具合の発生を防止することができる。さらに、厚手媒体６７は、媒体読取用搬送路１７と媒体引込用搬送路１８とを搬送されることにより、搬送されるときに屈曲される程度を低減することができる。さらに、厚手媒体６７は、第１フィードローラ２２と第１プレッシャローラ２４とにより搬送されているときに、第１フィードローラ２２と第１プレッシャローラ２４とが両輪駆動していることにより、不具合の発生が防止される。厚手媒体６７は、さらに、第２フィードローラ２３と第２プレッシャローラ２５とにより搬送されているときに、第２フィードローラ２３と第２プレッシャローラ２５とが両輪駆動していることにより、不具合の発生が防止される。その不具合としては、めくれが例示される。画像読取装置１０は、厚手媒体６７に発生する不具合を防止することにより、厚手媒体６７の画像を適切に読み取ることができる。
【００５８】
［画像読取装置１０の効果］
実施例１の画像読取装置１０は、第１フィードローラ２２と第１プレッシャローラ２４と第１ジョイント部３７とローラ駆動部３９と下側読取部２６と上側読取部２７とを備えている。第１フィードローラ２２は、フレーム１に回転可能に支持されている。第１プレッシャローラ２４は、フレーム１に回転可能に、かつ、並進可能に支持され、媒体を第１フィードローラ２２に押し付ける。第１ジョイント部３７は、第１プレッシャローラ駆動軸３５から第１プレッシャローラ２４に回転を伝達する。ローラ駆動部３９は、第１フィードローラ２２と第１プレッシャローラ駆動軸３５との両方を回転させる。下側読取部２６と上側読取部２７とは、第１フィードローラ２２と第１プレッシャローラ２４との両方が回転することにより搬送される媒体の画像を読み取る。画像読取装置１０は、第１フィードローラ２２により搬送される媒体に第１プレッシャローラ２４が従動して回転する他の画像読取装置に比較して、冊子を適切に搬送することができ、冊子の画像を適切に読み取ることができる。
【００５９】
また、実施例１の画像読取装置１０のローラ駆動部３９は、駆動部本体４１と回転伝達機構４２とを備えている。駆動部本体４１は、第１フィードローラ２２を回転させる。回転伝達機構４２は、駆動部本体４１から第１プレッシャローラ駆動軸３５に回転を伝達することにより第１プレッシャローラ２４を回転させる。画像読取装置１０は、第１フィードローラ２２を回転させる駆動源と、第１プレッシャローラ２４を回転させる駆動源とが別個である他の画像読取装置に比較して、部品点数を低減することができ、容易に作製されることができる。
【００６０】
ところで、実施例１の画像読取装置１０は、１つのモータ４５を用いて第１フィードローラ２２と第１プレッシャローラ２４とを回転させているが、第１フィードローラ２２と第１プレッシャローラ２４とをそれぞれ回転させる２つのモータが設けられてもよい。実施例１の画像読取装置１０は、２つのモータが設けられている場合でも、冊子を適切に搬送することができ、冊子の画像を適切に読み取ることができる。
【００６１】
また、実施例１の画像読取装置１０のフレーム１は、第１フィードローラ２２を回転可能に支持する固定側フレーム２と、第１プレッシャローラ２４を回転可能に、かつ、並進可能に支持する可動側フレーム３とを備えている。可動側フレーム３は、閉鎖位置または開放位置に配置されるように、移動可能に固定側フレーム２に支持されている。第１プレッシャローラ２４は、可動側フレーム３が閉鎖位置に配置されるときに、媒体を第１フィードローラ２２に押し付ける。第１プレッシャローラ２４は、可動側フレーム３が開放位置に配置されるときに、媒体を第１フィードローラ２２に押し付けないように第１フィードローラ２２から離れる。画像読取装置１０は、可動側フレーム３が固定側フレーム２に対して移動可能であることにより、第１フィードローラ２２と第１プレッシャローラ２４とのメンテナンスを容易化することができる。
【００６２】
また、実施例１の画像読取装置１０の回転伝達機構４２は、駆動部本体４１から回転が伝達される第１フィードギヤ５１と、第１プレッシャローラ駆動軸３５に回転が伝達される第１可動側ギヤ５４とを備えている。第１可動側ギヤ５４は、可動側フレーム３が閉鎖位置に配置されるときに、駆動部本体４１から第１プレッシャローラ駆動軸３５に回転が伝達されるように、第１フィードギヤ５１に噛み合っている。第１可動側ギヤ５４は、可動側フレーム３が開放位置に配置されるときに、駆動部本体４１から第１プレッシャローラ駆動軸３５に回転が伝達されないように、第１フィードギヤ５１から離れている。画像読取装置１０は、第１フィードギヤ５１と第１可動側ギヤ５４とが設けられていることにより、可動側フレーム３が固定側フレーム２に対して移動可能であり、かつ、可動側フレーム３が閉鎖位置に配置されるときに、第１フィードギヤ５１と第１プレッシャローラ駆動軸３５とを適切に回転させることができる。画像読取装置１０は、第１フィードギヤ５１と第１可動側ギヤ５４とが離れるように、回転可能に可動側フレーム３が固定側フレーム２に支持されていることにより、第１フィードギヤ５１と第１可動側ギヤ５４とのメンテナンスを容易化することができる。
【００６３】
ところで、実施例１の画像読取装置１０の可動側フレーム３は、回転可能に固定側フレーム２に支持されているが、固定側フレーム２に固定されてもよい。画像読取装置１０は、可動側フレーム３が固定側フレーム２に固定された場合でも、冊子を適切に搬送することができ、冊子の画像を適切に読み取ることができる。
【００６４】
また、実施例１の画像読取装置１０は、ホッパ１４に載置される複数の媒体から媒体を分離する分離部２１と、第２フィードローラ２３と、媒体を第２フィードローラ２３に押し付ける第２プレッシャローラ２５とをさらに備えている。ローラ駆動部３９は、第２フィードローラ２３と第２プレッシャローラ２５との両方をさらに回転させる。第２フィードローラ２３は、媒体のうちの第１フィードローラ２２に接触する部分が、媒体のうちの分離部２１に接触する部分と、媒体のうちの第２フィードローラ２３に接触する部分との間に配置されるように、配置されている。また、第１フィードローラ２２は、媒体のうちの第１フィードローラ２２に接触する部分が、媒体のうちの分離部２１に接触する部分と、媒体のうちの下側読取部２６と上側読取部２７とに接触する部分との間に配置されるように、配置されている。このとき、第１プレッシャローラ２４が媒体を第１フィードローラ２２に押し付ける力は、第２プレッシャローラ２５が媒体を第２フィードローラ２３に押し付ける力より強い。分離部２１により媒体が搬送される速さは、分離部２１が複数の媒体から１つの媒体を分離することにより、変動することがある。画像読取装置１０は、第１プレッシャローラ２４が媒体を第１フィードローラ２２に押し付ける力を強くすることにより、分離部２１が媒体を搬送する速さの変動が、画像を読み取られる媒体が搬送される速さに及ぼす影響を低減することができる。画像読取装置１０は、媒体が下側読取部２６と上側読取部２７との間を搬送される速さが変動することを防止することにより、下側読取部２６と上側読取部２７とを用いて媒体の画像を適切に読み取ることができる。
【００６５】
また、実施例１の画像読取装置１０は、正回転モードと逆回転モードとを切り替える制御部６２をさらに備えている。制御部６２は、正回転モードに切り替えられたときに、媒体が第１フィードローラ２２から第２フィードローラ２３に向かって搬送されるように、ローラ駆動部３９を制御する。制御部６２は、逆回転モードに切り替えられたときに、媒体が第２フィードローラ２３から第１フィードローラ２２に向かって搬送されるように、ローラ駆動部３９を制御する。画像読取装置１０は、媒体の搬送方向を切り替えることにより、厚手媒体６７をスイッチバック搬送することができる。画像読取装置１０は、厚手媒体６７をスイッチバック搬送することにより、厚手媒体６７が分離部２１を通過しないようにしたり、厚手媒体６７の屈曲を低減したりすることができ、厚手媒体６７に発生する不具合を防止することができる。画像読取装置１０は、厚手媒体６７に発生する不具合を防止することにより、厚手媒体６７の画像を適切に読み取ることができる。
【実施例２】
【００６６】
実施例２の画像読取装置は、既述の実施例１の画像読取装置１０の第１プレッシャローラ２４と回転伝達機構４２とが他の第１プレッシャローラ７１と他の回転伝達機構とにそれぞれ置換され、他の部分は同じである。図１２は、実施例２の画像読取装置の第１フィードローラ２２と第１プレッシャローラ７１とを示す側面図である。第１プレッシャローラ７１は、図１２に示されているように、第１プレッシャローラ２４と同様に円柱状に形成され、第１プレッシャローラ７１の径が第１フィードローラ２２の径より大きくなるように、形成されている。このとき、実施例２の画像読取装置の回転伝達機構は、第１プレッシャローラ７１の周速が第１フィードローラ２２の周速に等しくなるように、フィードローラ軸４３の回転を第１プレッシャローラ駆動軸３５に伝達している。
【００６７】
実施例２の画像読取装置も、既述の実施例１の画像読取装置１０と同様に、厚手媒体６７に発生する不具合を防止することができ、厚手媒体６７の画像を適切に読み取ることができる。実施例２の画像読取装置は、第１プレッシャローラ７１の径が大きいことにより、厚手媒体が搬送されるときに、既述の実施例１の画像読取装置１０に比較して、第１プレッシャローラ７１を適切に上昇させることができ、厚手媒体を適切に搬送することができる。また、実施例２の画像読取装置は、第２プレッシャローラ２５に関しても、第２フィードローラ２３の径より大きい径を有する他の第２プレッシャローラに置換されてもよい。
【００６８】
ところで、実施例１の画像読取装置１０の第１プレッシャローラ２４は、回転伝達機構４２と第１ジョイント部３７とに形成されているガタにより、第１プレッシャローラ２４に接触する媒体に従動して回転することがある。媒体は、第１プレッシャローラ２４が媒体に従動して回転するときに、めくれに例示される不具合が発生することがある。このため、回転伝達機構４２は、第１プレッシャローラ２４の周速が第１フィードローラ２２の周速と異なるように、たとえば、第１プレッシャローラ２４の周速が第１フィードローラ２２の周速より速くなるように、形成されてもよい。このとき、画像読取装置１０は、第１プレッシャローラ２４が媒体に従動して回転することを防止することができ、搬送される媒体に不具合が発生することを防止することができる。また、実施例１の画像読取装置１０は、第１フィードローラ２２の径または第１プレッシャローラ２４の径を変更することにより、第１プレッシャローラ２４の周速と第１フィードローラ２２の周速とを異ならせてもよい。
【００６９】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００７０】
１０    ：画像読取装置
１      ：フレーム
２      ：固定側フレーム
３      ：可動側フレーム
１１    ：背面側口
２１    ：分離部
２２    ：第１フィードローラ
２３    ：第２フィードローラ
２４    ：第１プレッシャローラ
２５    ：第２プレッシャローラ
２６    ：下側読取部
２７    ：上側読取部
３５    ：第１プレッシャローラ駆動軸
３６    ：第２プレッシャローラ駆動軸
３７    ：第１ジョイント部
３８    ：第２ジョイント部
３９    ：ローラ駆動部
４１    ：駆動部本体
４２    ：回転伝達機構
４３    ：フィードローラ軸
４５    ：モータ
５１    ：第１フィードギヤ
５２    ：アイドラギヤ
５３    ：第２フィードギヤ
５４    ：第１可動側ギヤ
５５    ：第２可動側ギヤ
５８    ：薄手媒体
５９    ：厚手媒体
６２    ：制御部
【図１】
2019165356.tif 000003
【図２】
2019165356.tif 000004
【図３】
2019165356.tif 000005
【図４】
2019165356.tif 000006
【図５】
2019165356.tif 000007
【図６】
2019165356.tif 000008
【図７】
2019165356.tif 000009
【図８】
2019165356.tif 000010
【図９】
2019165356.tif 000011
【図１０】
2019165356.tif 000012
【図１１】
2019165356.tif 000013
【図１２】
2019165356.tif 000014